(57)【要約】【課題】プリーツ加工されたスクリーン材を上下に昇降させて開閉するプリーツスクリーンにおいて、断熱性を高めるとともに、多品種の要望に迅速に対応し得るようにする。【解決手段】互いの間に所定の間隔を隔てて配置される２枚のスクリーン材２，３を用いる。これらスクリーン材２および３は、比較的高い山襞４を形成する複数の高襞領域１３，１５と比較的低い山襞４を形成する複数の低襞領域１４，１６とを有する。第１のスクリーン材２の高襞領域１３における山襞４の稜線近傍と第２のスクリーン材３の高襞領域１５における山襞４の稜線近傍とは、上下方向に透視したとき、互いに重なり合うように位置され、昇降操作のための開閉コード８を挿通させる挿通孔９，１０は、第１および第２のスクリーン材２，３の各々の高襞領域１３，１５における山襞４の稜線近傍に設けられる。【選択図】図２
2011084888.tif 000002
【特許請求の範囲】
【請求項１】
各々複数の山襞および谷襞が当該襞の延びる方向に直交する方向に関して交互に配列されながら形成されたスクリーン材と、
前記スクリーン材の、襞の延びる方向に直交する方向での一方端を固定する固定ボックスと、
前記スクリーン材の、襞の延びる方向に直交する方向での他方端に固定される可動レールと、
前記固定ボックスから出し入れ可能に引き出され、かつその引き出し端部が前記可動レールに連結される、開閉コードと
を備え、
前記スクリーン材は、前記開閉コードを挿通させる複数の挿通孔を有し、
前記開閉コードを前記固定ボックス内へ引き込むことによって、前記山襞および谷襞が畳み込まれながら前記スクリーン材が短くされ、前記開閉コードを前記固定ボックスから引き出すことによって、前記山襞および谷襞が開かれながら前記スクリーン材が長くされるように構成された、プリーツスクリーンであって、
前記スクリーン材は、互いの間に所定の間隔を隔てて配置される第１および第２のスクリーン材を備え、
前記第１および第２のスクリーン材は、ともに、比較的高い前記山襞を形成する複数の高襞領域と比較的低い前記山襞を形成する複数の低襞領域とを有し、前記高襞領域と前記低襞領域とは襞の延びる方向に直交する方向に関して交互に分布され、
前記第１のスクリーン材の前記高襞領域における前記山襞の稜線近傍と前記第２のスクリーン材の前記高襞領域における前記山襞の稜線近傍とは、襞の延びる方向に直交する方向に透視したとき、互いに重なり合うように位置され、
前記挿通孔は、前記第１および第２のスクリーン材の各々の前記高襞領域における前記山襞の前記稜線近傍に設けられる、
プリーツスクリーン。
【請求項２】
襞の延びる方向に直交する方向に透視したとき、前記第１および第２のスクリーン材の各々の前記低襞領域における前記山襞は、前記挿通孔が位置する部分には位置しない、請求項１に記載のプリーツスクリーン。
【請求項３】
前記第１および第２のスクリーン材の各々の複数の前記谷襞は、襞の延びる方向に直交する方向に関して整列するように位置される、請求項１または２に記載のプリーツスクリーン。
【請求項４】
前記第１のスクリーン材における前記高襞領域の分布ピッチと前記第２のスクリーン材における前記高襞領域の分布ピッチとは互いに等しい、請求項１ないし３のいずれかに記載のプリーツスクリーン。
【請求項５】
前記第１のスクリーン材における前記山襞および前記谷襞の形成態様と前記第２のスクリーン材における前記山襞および前記谷襞の形成態様とは互いに等しい、請求項４に記載のプリーツスクリーン。
【発明の詳細な説明】
【技術分野】
【０００１】
この発明は、プリーツ加工されたスクリーン材を、そこに形成された襞の延びる方向に直交する方向に伸縮させて開閉する、プリーツスクリーンに関するものである。
【背景技術】
【０００２】
たとえば不織布のようなスクリーン材にプリーツ加工を施し、これを上下に昇降させてブラインドのように開閉するカーテン状のインテリア用品として、プリーツスクリーンが市販されている。このようなプリーツスクリーンにおいて、その断熱効果を高めたいという要望があるとき、スクリーン材を二重構造とし、二重構造の間に空気層が形成されるようにすることが考えられる。
【０００３】
上記のようなスクリーン材の二重構造を開示するものとして、たとえば特許文献１がある。特許文献１に記載のプリーツスクリーンでは、プリーツ加工された２枚のスクリーン材を、各々の襞の稜線部分で連結片を介して互いに接合した状態のハニカム構造とし、このようなハニカム構造のスクリーン材を組み込むことによって、プリーツスクリーンを構成するようにしている。
【０００４】
したがって、ハニカム構造を構成する２枚のスクリーン材の各々の素材や色調などについての多様な注文に対応するためには、予め接合される２枚のスクリーン材の組み合わせについて多品種化を図る必要がある。よって、多様な注文に迅速に対応してプリーツスクリーンを製造し、出荷できるようにするためには、多数の組み合わせをもって２枚のスクリーン材を接合したものを予め製造しておき、これらを倉庫等に保管しておく必要があり、在庫管理が煩雑になるという問題を招く。
【０００５】
他方、この発明にとって興味ある他の技術として、特許文献２に記載されたものがある。特許文献２では、プリーツスクリーンにおいて、上下方向に均一でないピッチで複数の襞が形成されているスクリーン材が用いられている。上下方向に均一でないピッチで複数の襞が形成されているということは、複数の襞の高さが上下方向で均一でないということである。特許文献２に記載されたプリーツスクリーンは、複数の襞間のピッチをあえて均一としないことにより、間隔保持テープ等の襞相互間の間隔を保持するため部材を省略することを目的として提案されたものであるが、複数の襞間のピッチを変化させることにより、意匠的な変化がもたらされ、このことによる製品の多品種化を容易に図ることができる。
【０００６】
なお、特許文献２に記載のプリーツスクリーンでは、スクリーン材を上下に昇降させて開閉するための昇降コードを挿通させる挿通孔は、すべての襞間に設けられている。
【先行技術文献】
【特許文献】
【０００７】
【特許文献１】意匠登録第８１４３６１号公報
【特許文献２】特開平１０−７７７７３号公報
【発明の概要】
【発明が解決しようとする課題】
【０００８】
上記のような背景の下、この発明の目的は、断熱効果を高めるために２枚のスクリーン材を備えながらも、スクリーン材に対する素材や色調に対する多様な要望に迅速に対応でき、必要であれば、２枚のスクリーン材の各々について、別々に素材や色調に対する多様な要望に迅速に対応でき、しかも、意匠的にも興味深い、プリーツスクリーンを提供しようとすることである。
【課題を解決するための手段】
【０００９】
この発明は、各々複数の山襞および谷襞が当該襞の延びる方向に直交する方向に関して交互に配列されながら形成されたスクリーン材と、スクリーン材の、襞の延びる方向に直交する方向での一方端を固定する固定ボックスと、スクリーン材の、襞の延びる方向に直交する方向での他方端に固定される可動レールと、固定ボックスから出し入れ可能に引き出され、かつその引き出し端部が可動レールに連結される、開閉コードとを備える、プリーツスクリーンに向けられる。
【００１０】
上記スクリーン材は、開閉コードを挿通させる複数の挿通孔を有している。また、このプリーツスクリーンは、開閉コードを固定ボックス内へ引き込むことによって、山襞および谷襞が畳み込まれながらスクリーン材が短くされ、開閉コードを固定ボックスから引き出すことによって、山襞および谷襞が開かれながらスクリーン材が長くされるように構成されている。
【００１１】
以上のような構成を有するプリーツスクリーンにおいて、この発明では、前述した技術的課題を解決するため、スクリーン材は、互いの間に所定の間隔を隔てて配置される第１および第２のスクリーン材を備え、第１および第２のスクリーン材は、ともに、比較的高い山襞を形成する複数の高襞領域と比較的低い山襞を形成する複数の低襞領域とを有している。高襞領域と低襞領域とは襞の延びる方向に直交する方向に関して交互に分布され、第１のスクリーン材の高襞領域における山襞の稜線近傍と第２のスクリーン材の高襞領域における山襞の稜線近傍とは、襞の延びる方向に直交する方向に透視したとき、互いに重なり合うように位置される。そして、前述の開閉コードを挿通させるための挿通孔は、第１および第２のスクリーン材の各々の高襞領域における山襞の稜線近傍に設けられることを特徴としている。
【００１２】
この発明において、襞の延びる方向に直交する方向に透視したとき、第１および第２のスクリーン材の各々の低襞領域における山襞は、挿通孔が位置する部分には位置しないことが好ましい。
【００１３】
また、第１および第２のスクリーン材の各々の複数の谷襞は、襞の延びる方向に直交する方向に関して整列するように位置されることが好ましい。
【００１４】
また、この発明において、好ましくは、第１のスクリーン材における高襞領域の分布ピッチと第２のスクリーン材における高襞領域の分布ピッチとは互いに等しくされる。この場合、典型的には、第１のスクリーン材における山襞および谷襞の形成態様と第２のスクリーン材における山襞および谷襞の形成態様とは互いに等しくされる。
【発明の効果】
【００１５】
この発明によれば、まず、第１および第２のスクリーン材といった２枚のスクリーン材を備え、これらの間に所定の間隔を隔てて空気層を形成しているので、断熱効果の高いプリーツスクリーンが得られる。
【００１６】
また、第１および第２のスクリーン材の各々について、別々に、素材、色調、襞の形成態様等について変更することによる製品の多品種化を図ることができる。よって、製品の多品種化が容易となる。
【００１７】
また、製品としてのプリーツスクリーンを製造するにあたっては、第１および第２のスクリーン材を予め接合しておく必要はない。すなわち、プリーツスクリーンの製造段階で、第１のスクリーン材と第２のスクリーン材とを別々に組み込めばよい。したがって、煩雑な在庫管理を伴うことなく、前述したような２枚のスクリーン材の各々について、別々に、素材、色調、襞の形成態様等に対する多様な要望に迅速に対応することができる。
【００１８】
また、この発明に係るプリーツスクリーンでは、第１および第２のスクリーン材の各々の高襞領域における互いに重なり合う山襞の稜線近傍に、開閉コードを挿通させるための挿通孔が設けられる。したがって、開閉コードは、スクリーン材を長くしたり短くしたりする機能のほか、第１および第２のスクリーン材を互いに結合する機能をも果たしていることになる。このようなことから、第１および第２のスクリーン材を互いに結合するための特別な部品が不要であり、そのため、部品点数の増加を抑制することができる。
【００１９】
上述の挿通孔に関して、第１および第２のスクリーン材の各々の低襞領域における山襞が、襞の延びる方向に直交する方向に透視したとき、挿通孔が位置する部分には位置しないようにされると、挿通孔への開閉コードの挿入作業が容易になるとともに、低襞領域における山襞と開閉コードとが不所望にも干渉し合うことを避けることができる。
【図面の簡単な説明】
【００２０】
【図１】この発明の第１の実施形態によるプリーツスクリーン１を示す正面図である。
【図２】図１に示したプリーツスクリーン１の一部を拡大して示すもので、図１の線Ａ‐Ａに沿う断面図である。
【図３】図２に対応する図であって、スクリーン材２および３が短くされた状態を示す。
【図４】この発明の第２の実施形態を説明するための図２に相当する図である。
【図５】この発明の第３の実施形態を説明するための図２に相当する図である。
【図６】この発明の第４の実施形態を説明するための図２に相当する図である。
【図７】この発明の第５の実施形態によるプリーツスクリーン１ａを示す背面図である。
【図８】図７に示したプリーツスクリーン１ａの一部を拡大して示すもので、図７の線Ｂ‐Ｂに沿う断面図である。
【発明を実施するための形態】
【００２１】
図１ないし図３を参照して、この発明の第１の実施形態によるプリーツスクリーン１について説明する。このプリーツスクリーン１は、上下方向に伸縮することによって開閉される形式のものである。
【００２２】
プリーツスクリーン１は、第１および第２のスクリーン材２および３を備えている。これらスクリーン材２および３は、たとえばスパンボンドのような不織布から構成され、シースルー地であっても、不透明生地であってもよい。
【００２３】
第１および第２のスクリーン材２および３は、図２によく示されているように、互いの間に所定の間隔を隔てて配置されている。これらスクリーン材２および３には、各々複数の山襞４および谷襞５が、当該襞の延びる方向に直交する方向に関して交互に、すなわち上下方向に関して交互に配列されながら形成されている。なお、「山襞４および谷襞５が交互に配列される」とは、図示のように、１個の山襞４と１個の谷襞５とが交互に配列される場合のほか、たとえば、２個の谷襞が隣り合うように配列されながら、１個の山襞と２個の谷襞とが交互に配列される場合なども含むものとする。
【００２４】
上述した山襞４および谷襞５に関して、この明細書では、第１のスクリーン材２については、図２による右方向に突出した襞を山襞４と呼び、左方向に突出した襞を谷襞５と呼ぶことにする。他方、第２のスクリーン材３については、図２による左方向に突出した襞を山襞４と呼び、右方向に突出した襞を谷襞５と呼ぶことにする。これら山襞４および谷襞５の形成態様の詳細については後述する。
【００２５】
プリーツスクリーン１は、また、スクリーン材２および３の各上端を固定する固定ボックス６と、スクリーン材２および３の各下端に固定される可動レール７と、固定ボックス６から出し入れ可能に引き出され、かつその引き出し端部が可動レール７に連結される、開閉コード８とを備えている。この実施形態では、２本の開閉コード８を有している。第１および第２のスクリーン材２および３には、それぞれ、上記開閉コード８を挿通させる各々複数の挿通孔９および１０が設けられている。これら挿通孔９および１０が設けられる位置の詳細については後述する。
【００２６】
開閉コード８は、スクリーン材２および３に沿って上下方向に延びるが、固定ボックス６内において、図示しないが、固定ボックス６の長手方向に案内され、ストッパを介して、固定ボックス６のたとえば図１による右端から導出される。そして、２本の開閉コード８の各端部は、連結具１１によって結合される。また、連結具１１には、連結コード１２の一方端が連結され、連結コード１２の他方端は可動レール７に固定される。
【００２７】
以上のような構成を有するプリーツスクリーン１において、開閉コード８を引っ張ると、これに伴い可動レール７が上昇し、これによって、図３に示すように、山襞４および谷襞５が畳み込まれながらスクリーン材２および３が短くされる。この開閉コード８を引っ張る操作の途中または終端において、引っ張る力を除去すると、その時点で、前述したストッパ（図示せず。）が働き、開閉コード８および可動レール７の位置が固定され、その時点でのスクリーン材２および３の状態が維持される。
【００２８】
他方、開閉コード８をわずかに引っ張ると、ストッパが解除され、可動レール７が自重により下降し、これに伴い、開閉コード８がヘッドボックス６から引き出される。このとき、操作者は、必要に応じて、可動レール７を下方へ引き下げる方向の力を加えてもよい。上述した可動レール７の下降の結果、図２に示すように、山襞４および谷襞５が開かれながらスクリーン材２および３が長くされる。スクリーン材２および３の最大長さは、可動レール７等の自重および開閉コード８および連結コード１２の長さ等によって決定される。図２に示したスクリーン材２および３は、さらに長くなり得る状態にあると理解すべきである。このような中間的な長さでスクリーン材２および３を停止させようとすれば、前述したストッパが働くように開閉コード８を操作すればよい。
【００２９】
第１のスクリーン材２は、比較的高い山襞４を形成する複数の高襞領域１３と比較的低い山襞４を形成する複数の低襞領域１４とを有し、これら高襞領域１３と低襞領域１４とは、襞の延びる方向に直交する方向、すなわち上下方向に関して交互に分布されている。同様に、第２のスクリーン材３についても、比較的高い山襞４を形成する複数の高襞領域１５と比較的低い山襞４を形成する複数の低襞領域１６とを有し、これら高襞領域１５と低襞領域１６とは、襞の延びる方向に直交する方向、すなわち上下方向に関して交互に分布されている。
【００３０】
また、第１のスクリーン材２の高襞領域１３における山襞４の稜線近傍と第２のスクリーン材３の高襞領域１５における山襞４の稜線近傍とは、襞の延びる方向に直交する方向、すなわち上下方向に透視したとき、互いに重なり合うように位置されている。そして、前述した挿通孔９は、第１のスクリーン２の高襞領域１３における山襞４の稜線近傍に設けられ、挿通孔１０は、第２のスクリーン材３の高襞領域１５における山襞４の稜線近傍に設けられる。図２および図３には、開閉コード８が挿通孔９および１０に挿通されることによって、第１および第２のスクリーン材２および３が結合される状態がよく示されている。
【００３１】
この実施形態では、図２および図３によく示されているように、襞の延びる方向に直交する方向、すなわち上下方向に透視したとき、第１および第２のスクリーン材２および３の各々の低襞領域１４および１６における山襞４は、挿通孔９および１０が位置する部分には位置しないようにされている。これによって、低襞領域１４および１６における山襞４は、開閉コード８と干渉し合わないようにすることができ、その結果、第１および第２のスクリーン材２および３において、低襞領域１４および１６における山襞４が潰されるなどの異様な変形が不所望にも生じることを防止することができる。
【００３２】
また、この実施形態では、第１および第２のスクリーン材２および３の各々の複数の谷襞５は、襞の延びる方向に直交する方向、すなわち上下方向に関して整列するように位置される。すなわち、プリーツスクリーン１の正面および背面のいずれから見たときであっても、複数の谷襞５のすべてについて、その突出度合いが揃えられる。
【００３３】
また、この実施形態では、第１のスクリーン材２における山襞４および谷襞５の形成態様と第２のスクリーン材３における山襞４および谷襞５の形成態様とは互いに等しく、より正確には、互いに対称となるようにされている。すなわち、第１のスクリーン材２における高襞領域１３および低襞領域１４の各々の面積と第２のスクリーン材３における高襞領域１５および低襞領域１６の各々面積とが互いに等しく、また、第１および第２のスクリーン材２および３の双方とも高襞領域１３または１５に１個の山襞４が形成され、低襞領域１４または１６に２個の山襞４が形成され、また、これら山襞４の高さは、第１のスクリーン材２におけるものと第２のスクリーン材３におけるものとが互いに等しくされている。
【００３４】
その結果、第１のスクリーン材２における高襞領域１３の分布ピッチと第２のスクリーン材３における高襞領域１５の分布ピッチとが互いに等しくなる。このような構成が採用されると、第１のスクリーン材２において高襞領域１３が現れる周期と第２のスクリーン材３において高襞領域１５が現れる周期とを等しくすることができ、第１のスクリーン材２の高襞領域１３にある山襞４のすべてについて、これを第２のスクリーン材３の高襞領域１５にある山襞４と隣接させることができる。このことは、第１のスクリーン材２と第２のスクリーン材３とを開閉コード８によって結合することを容易にするとともに、挿通孔９および１０への開閉コード８の挿入操作を容易にするという利点をもたらす。
【００３５】
さらに、この実施形態では、第１および第２のスクリーン材２および３の各々について、複数の高襞領域１３および１５の各々は、襞の延びる方向に直交する方向、すなわち上下方向に関して等間隔に分布している。
【００３６】
次に、図４ないし図８を参照して、この発明の他の実施形態について説明する。なお、図４、図５、図６および図８において、図２に示した要素に相当する要素には同様の参照符号を付し、また、図７において、図１に示す要素に相当する要素には同様の参照符号を付している。第１の実施形態とは異なる点について以下に説明する。
【００３７】
図４に示した第２の実施形態では、第１および第２のスクリーン材２および３の各々について、高襞領域１３および１５にそれぞれ形成される山襞４の数が２個であり、低襞領域１４および１６にそれぞれ形成される山襞４の数が１個である点で、第１の実施形態とは異なっている。
【００３８】
図５に示した第３の実施形態では、第１および第２のスクリーン材２および３の各々について、低襞領域１４および１６にそれぞれ形成される山襞４の数が３個であり、しかも、３個並んだ山襞４のうち、中央の山襞４の高さが両側の山襞４の高さより低くされている点で、第１の実施形態とは異なっている。
【００３９】
図６に示した第４の実施形態では、第２のスクリーン材３について、図２に示した第２のスクリーン材３と同様のものが用いられているが、第１のスクリーン材２については、図５に示した第１のスクリーン材２と同様のものが用いられている。なお、図６に示した実施形態の変形例として、第１のスクリーン材２と第２のスクリーン材３とが入れ替わってもよい。
【００４０】
図７および図８に示した第５の実施形態によるプリーツスクリーン１ａでは、山襞４および谷襞５の配列ピッチを均等に保つための間隔保持コード２１をさらに備えていることを特徴としている。
【００４１】
図７に示されているように、たとえば２本の間隔保持コード２１がプリーツスクリーン１ａの背面側に配置される。間隔保持コード２１の上端は固定ボックス６に固定され、下端は可動レール７に固定される。間隔保持コード２１には、図８に示すように、開閉コード８に係合する係合糸２２が取り付けられている。
【００４２】
この実施形態によれば、間隔保持コード２１に取り付けられた係合糸２２は、開閉コード８に係合しながら、第２のスクリーン材３の高襞領域１５における山襞４を保持することによって、この山襞４の開閉コード８上での位置を適正に保つ。その結果、第２のスクリーン材３での山襞４および谷襞５の配列ピッチをできるだけ均等になるように保ち、これに応じて、第１のスクリーン材２における山襞４および谷襞５の配列ピッチについても、できるだけ均等になるように保つ。
【００４３】
なお、図７に示した間隔保持コード２１が蛇行していることからわかるように、図７に示したスクリーン材３は、間隔保持コード２１が直線状になるまで、さらに長くなり得る状態にある。
【００４４】
以上、この発明を図示した実施形態に関連して説明したが、この発明の範囲内において、その他種々の変形例が可能である。
【００４５】
たとえば、高襞領域１３および１５における山襞４は、図示の状態では、比較的尖った稜線を形成していたが、丸みを帯びた稜線を形成するように変更されても、比較的幅広の面を稜線に沿って形成するように変更されてもよい。
【００４６】
また、図示したプリーツスクリーン１は、上下方向に伸縮することによって開閉される形式のものであったが、この発明は、通常のカーテンのように、横方向（水平方向）に伸縮することによって開閉される形式のものにも適用することができる。
【符号の説明】
【００４７】
１，１ａ  プリーツスクリーン
２  第１のスクリーン材
３  第２のスクリーン材
４  山襞
５  谷襞
６  固定ボックス
７  可動レール
８  開閉コード
９，１０  挿通孔
１３，１５  高襞領域
１４，１６  低襞領域
【図１】
2011084888.tif 000003
【図２】
2011084888.tif 000004
【図３】
2011084888.tif 000005
【図４】
2011084888.tif 000006
【図５】
2011084888.tif 000007
【図６】
2011084888.tif 000008
【図７】
2011084888.tif 000009
【図８】
2011084888.tif 000010